(57)【特許請求の範囲】
【請求項１】
設置対象である建造物の外周を囲んで移動可能な太陽電池パネル用架台であって、前記建造物の長手方向を棟方向と呼び、この棟方向に直交する方向を間口方向と呼ぶとき、
前記建造物の両側面に沿って棟方向と平行に延びる一対の側レールに案内されて移動可能な少なくとも一対の側脚部と、
少なくとも一対の前記側脚部から前記建造物の外周に沿って延び、前記建造物の上方で結合することで前記建造物の間口から見た断面を囲むように存在する、太陽電池パネルを設置するための架台部と、を備え、前記建造物の棟に沿ってその頂部に存在する棟レールに案内されて移動可能な棟脚部を備え、前記架台部の上部がこの棟脚部によって支えられることを特徴とする太陽電池パネル用移動架台。
【請求項２】
一対の前記側レールが、前記建造物の両側面側に存在する地面に存在する請求項１記載の太陽電池パネル用移動架台。
【請求項３】
一対の前記側レールが、それぞれ上側に凹みを備えたＣ型鋼である請求項１又は２記載の太陽電池パネル用移動架台。
【請求項４】
設置対象である建造物の外周を囲んで移動可能な太陽電池パネル用架台であって、前記建造物の長手方向を棟方向と呼び、この棟方向に直交する方向を間口方向と呼ぶとき、
前記建造物の両側面に沿って棟方向と平行に延びる一対の側レールに案内されて移動可能な少なくとも一対の側脚部と、
少なくとも一対の前記側脚部から前記建造物の外周に沿って延び、前記建造物の上方で結合することで前記建造物の間口から見た断面を囲むように存在する、太陽電池パネルを設置するための架台部と、を備え、
一対の前記側レールの一方が前記建造物の側面に接して存在し、残りの前記側レールが前記建造物の側面側の地面上に存在し、前記建造物の側面に設けられた側レールが下側に凹みを備えたＣ型鋼であり、少なくとも一対の前記側脚部のうちこのレールに案内される側脚部がこのレールの下側に沿って案内される太陽電池パネル用移動架台。
【請求項５】
一対の前記側レールの一方が前記建造物の側面に接して存在し、残りの前記側レールが前記建造物の側面側の地面上に存在し、前記建造物の側面に設けられた側レールが下側に凹みを備えたＣ型鋼であり、少なくとも一対の前記側脚部のうちこのレールに案内される側脚部がこのレールの下側に沿って案内される請求項１記載の太陽電池パネル用移動架台。
【請求項６】
請求項１〜５のいずれか１項記載の太陽電池パネル用移動架台の架台部に存在する太陽電池パネルを発電ユニットとして含むことを特徴とした太陽光発電システム。
【請求項７】
請求項１〜５のいずれか１項記載の太陽電池パネル用移動架台の架台部に太陽電池パネルを載置固定する工程を備えることを特徴とする太陽電池パネルの設置方法。
【発明の詳細な説明】
【技術分野】
【０００１】
本発明は、太陽電池パネルの設置のために用いられる太陽電池パネル用移動架台、それを用いた太陽光発電システム、及び太陽電池パネルの設置方法に関する。
【背景技術】
【０００２】
近年、再生可能エネルギーへの評価が高まるにつれて太陽光発電への関心が高まっている。このような太陽光発電としては、住宅の屋根に太陽電池パネルを設置する小規模のものから、いわゆるメガソーラー事業者のように遊休地にて複数の太陽電池パネルを設置して発電を行うような大規模のものまで様々な態様のものが挙げられる。そして、これらの設置場所に合わせて、太陽電池パネルを設置するための架台が各種提案されている（例えば、特許文献１や特許文献２等を参照）。
【０００３】
また、いわゆるソーラーシェアリングという考え方のもと、例えば農地に設置されたビニールハウスの側面や屋根等に太陽電池パネルを設置することで、農作物を育成しながら太陽光発電を行う試みもなされている（例えば、特許文献３や４を参照）。
【先行技術文献】
【特許文献】
【０００４】
【特許文献１】特開平７−４５８５１号公報
【特許文献２】特開平１０−３１７６０１号公報
【特許文献３】特開２０１０−２１３６３３号公報
【特許文献４】特開２０１０−１９３８３７号公報
【発明の概要】
【発明が解決しようとする課題】
【０００５】
特許文献３及び４に記載された太陽電池パネルはビニールハウスの側面や屋根等に固定されて設置されるので、このビニールハウスでは太陽電池パネルによりある程度の光が遮られることになる。このため、このビニールハウス内部の地面へは太陽電池パネルの設置されていない箇所を通過した太陽光のみが供給されることになり、多くの日射が必要になるような作物の生育に問題を生じる可能性がある。このことは、ビニールハウスにて育成される作物の種類が限られてしまうという問題につながる。
【０００６】
本発明は以上の状況に鑑みてなされたものであり、ビニールハウスに設置することができ、育成される作物が必要とする日射量に応じて太陽光パネルによる遮光状態を調節することのできる新たなタイプの太陽電池パネル用架台、それを用いた太陽光発電システム、及び太陽電池パネルの設置方法を提供することを目的とする。
【課題を解決するための手段】
【０００７】
本発明者は、以上の課題を解決するために鋭意検討を重ねた結果、設置対象である建造物の外周を囲んで移動可能な太陽電池パネル用架台であって、上記建造物の長手方向を棟方向と呼び、この棟方向に直交する方向を間口方向と呼ぶとき、上記建造物の両側面に沿って棟方向と平行に延びる一対の側レールに案内されて移動可能な少なくとも一対の側脚部と、少なくとも一対の上記側脚部から上記建造物の外周に沿って延び、上記建造物の上方で結合することで上記建造物の間口から見た断面を囲むように存在する、太陽電池パネルを設置するための架台部と、を備えた太陽電池パネル用移動架台に太陽電池パネルを設置することにより、設置された太陽電池パネルをビニールハウス等の建造物の棟方向へ容易に移動することができるようになり、野菜のように多くの日射が必要になる作物を避けて太陽電池パネルを設置したり、これとは逆に、キノコ類のように日陰を好む作物が日陰となるように太陽電池パネルを設置したりすることが可能になることを見出した。本発明は、以上のような知見に基づいてなされたものであり、次のようなものを提供する。
【０００８】
（１）本発明は、設置対象である建造物の外周を囲んで移動可能な太陽電池パネル用架台であって、上記建造物の長手方向を棟方向と呼び、この棟方向に直交する方向を間口方向と呼ぶとき、上記建造物の両側面に沿って棟方向と平行に延びる一対の側レールに案内されて移動可能な少なくとも一対の側脚部と、少なくとも一対の上記側脚部から上記建造物の外周に沿って延び、上記建造物の上方で結合することで上記建造物の間口から見た断面を囲むように存在する、太陽電池パネルを設置するための架台部と、を備え、上記建造物の棟に沿ってその頂部に存在する棟レールに案内されて移動可能な棟脚部を備え、上記架台部の上部がこの棟脚部によって支えられることを特徴とする太陽電池パネル用移動架台である。
【０００９】
（２）また本発明は、一対の上記側レールが、上記建造物の両側面側に存在する地面に存在する（１）項記載の太陽電池パネル用移動架台である。
【００１０】
（３）また本発明は、一対の上記側レールが、それぞれ上側に凹みを備えたＣ型鋼である（１）項又は（２）項のいずれか１項記載の太陽電池パネル用移動架台である。
【００１１】
（４）また本発明は、設置対象である建造物の外周を囲んで移動可能な太陽電池パネル用架台であって、上記建造物の長手方向を棟方向と呼び、この棟方向に直交する方向を間口方向と呼ぶとき、上記建造物の両側面に沿って棟方向と平行に延びる一対の側レールに案内されて移動可能な少なくとも一対の側脚部と、少なくとも一対の上記側脚部から上記建造物の外周に沿って延び、上記建造物の上方で結合することで上記建造物の間口から見た断面を囲むように存在する、太陽電池パネルを設置するための架台部と、を備え、一対の上記側レールの一方が上記建造物の側面に接して存在し、残りの上記側レールが上記建造物の側面側の地面上に存在し、上記建造物の側面に設けられた側レールが下側に凹みを備えたＣ型鋼であり、少なくとも一対の上記側脚部のうちこのレールに案内される側脚部がこのレールの下側に沿って案内される太陽電池パネル用移動架台である。
【００１２】
（５）また本発明は、一対の上記側レールの一方が上記建造物の側面に接して存在し、残りの上記側レールが上記建造物の側面側の地面上に存在し、上記建造物の側面に設けられた側レールが下側に凹みを備えたＣ型鋼であり、少なくとも一対の上記側脚部のうちこのレールに案内される側脚部がこのレールの下側に沿って案内される（１）項記載の太陽電池パネル用移動架台である。
【００１３】
（６）本発明は、（１）項〜（５）項のいずれか１項記載の太陽電池パネル用移動架台の架台部に存在する太陽電池パネルを発電ユニットとして含むことを特徴とした太陽光発電システムでもある。
【００１４】
（７）本発明は、（１）項〜（５）項のいずれか１項記載の太陽電池パネル用移動架台の架台部に太陽電池パネルを載置固定する工程を備えることを特徴とする太陽電池パネルの設置方法でもある。
【発明の効果】
【００１５】
本発明によれば、ビニールハウスに設置することができ、育成される作物が必要とする日射量に応じて太陽光パネルによる遮光状態を調節することのできる新たなタイプの太陽電池パネル用架台、それを用いた太陽光発電システム、及び太陽電池パネルの設置方法が提供される。
【図面の簡単な説明】
【００１６】
【図１】図１は、本発明の第一実施形態である太陽電池パネル用移動架台１をビニールハウス９に適用した様子を示す斜視図である。
【図２】図２は、本発明の第一実施形態である太陽電池パネル用移動架台１をビニールハウス９に適用した状態を示す正面断面図である。
【図３】図３は、本発明の第一実施形態である太陽電池パネル用移動架台１において右側レール２２に案内される右側脚部１２の様子を示す斜視図である。
【図４】図４は、本発明の第二実施形態である太陽電池パネル用移動架台１Ａをビニールハウス９Ａに適用した状態を示す正面断面図である。
【発明を実施するための形態】
【００１７】
［太陽電池パネル用移動架台の第一実施形態］
まずは、本発明の太陽電池パネル用移動架台の第一実施形態について図面を参照しながら説明する。図１は、本発明の太陽電池パネル用移動架台１をビニールハウス９に適用した様子を示す斜視図である。図１では、一基のビニールハウス９に対して、ビニールハウス９の手前に一基、奥に二基の合計三基の太陽電池パネル用移動架台１が設置されている様子を示している。また、図１では、理解を容易にするために、本来地面に埋設されている基礎部分を露出して描いている。図２は、本実施形態の太陽電池パネル用移動架台１をビニールハウス９に適用した状態を示す正面断面図である。図３は、本実施形態の太陽電池パネル用移動架台１において右側レール２２に案内される右側脚部１２の様子を示す斜視図である。
【００１８】
本実施形態の太陽電池パネル用移動架台１（以下、「移動架台１」とも呼ぶ。）は、ビニールハウスのような長尺の建造物の上方又は側方に太陽電池パネルを設置するための架台として用いられる。後述するように、移動架台１は、ビニールハウス等の長尺な建造物の長手方向（棟方向）へ移動することが可能であるので、これを用いることにより、例えば、野菜のように多くの日射が必要になる作物を避けつつ、キノコ類等のように日陰や半日陰を好む作物の存在する箇所に太陽電池パネルを設置することができるようになる。これにより、作物の要求する日射の程度に応じてビニールハウス内の空間を有効活用できるとともに、太陽電池パネルによる電力を得ることができるようになる。このように、本発明の太陽電池パネル用移動架台はビニールハウスにおいて特に好ましく用いることができるものであるので、以下の記述では、本発明をビニールハウスに適用した例に絞って説明を行うが、本発明は長尺の建造物一般に適用が可能なものであり、その用途がビニールハウスに限定されるものでないことは言うまでもない。
【００１９】
移動架台１の設置対象となるビニールハウス９は、その屋根となる部分において長手方向に沿って最も高い部分となる頂部９１を備える。この頂部９１は棟と呼ばれ、本発明では、この棟に沿った方向、すなわちビニールハウス９の長手方向を棟方向と呼び、棟方向と直交する方向、すなわちビニールハウス９の幅方向を間口方向と呼ぶ。また、以下の説明において、左側とはビニールハウス９を正面視したときの左側を意味し、右側とはビニールハウス９を正面視したときの右側を意味する。
【００２０】
移動架台１は、設置対象であるビニールハウス９の外周に沿って移動可能である。すなわち、図１に示すように、移動架台１がビニールハウス９の外周を囲んだ状態で棟方向へ移動可能である。このような移動を可能にするために、移動架台１は、設置対象であるビニールハウス９の両側面に沿って設けられ棟方向と平行に延びる一対の左側レール２１及び右側レール２２に案内されて移動可能な少なくとも一対の左側脚部１１及び右側脚部１２と、左側脚部１１及び右側脚部１２からビニールハウス９の外周に沿ってそれぞれ延び、ビニールハウス９の上方で結合することでビニールハウス９の間口から見た断面を囲むように設けられた架台部１４と、を備える。なお、左側レール２１及び右側レール２２をまとめて側レール２１及び２２とも呼び、左側脚部１１及び右側脚部１２をまとめて側脚部１１及び１２と呼ぶこともある。「少なくとも一対の側脚部１１及び１２」とは、図面を参照すれば理解できるように、ビニールハウス９の間口から見た際に、左側脚部１１と右側脚部１２とが左右に対をなしているということを表すものである。この対は、一対でもよいし、二以上の対であってもよい。
【００２１】
側レール２１及び２２は、ビニールハウス９の左側及び右側の地面に、ビニールハウス９の棟方向と平行になるようにそれぞれ設置される。左側レール２１は、地面に設置された左側レール基礎３１に結合され、その上方に設置される。右側レール２２は、地面に設置された右側レール基礎３２に結合され、その上方に設置される。側レール２１及び２２は、断面がコの字の形状をしたＣ型鋼が用いられ、その凹みとなる部分が上方を向いている。つまり、側レール２１及び２２として用いられるＣ型鋼は、上方に向けて開口するように設置される。この凹みは、後述する側脚部１１及び１２を移動可能に収容してこれを棟方向へ案内する。一例として右側レール２２及びこれに収容された右側脚部１２の様子を示したものが図３である。左側レール２１及びこれに収容された左側脚部１１の様子もこれと同様である。
【００２２】
本実施形態において、側レール２１及び２２は、ビニールハウス９の間口を正面視した際に、ビニールハウス９の間口よりも手前側からビニールハウス９の奥行方向へ向けて設けられる。側レール２１及び２２がビニールハウス９の間口よりも手前側から設けられることにより、野菜のように多くの日射を必要とする作物をビニールハウス９内の地面の全面で育成する場合における移動架台１の待避場所を確保することができる。
【００２３】
左側レール基礎３１は、スクリュー杭３１１及び浮沈防止板３１２を備える。本来、スクリュー杭３１１及び浮沈防止板３１２は地中に埋設されているが、理解を容易にするために、図１ではこれらを露出した状態で描いている。スクリュー杭３１１には地面に刺す先端部分から末端方向に向けて螺旋状の羽根が設けられており、これを地面に向けて回転圧入することにより左側レール基礎３１が形成される。スクリュー杭３１１の末端は地上に露出しており、左側レール２１の底面と結合されてこれを支える。
【００２４】
右側レール基礎３２は、スクリュー杭３２１及び浮沈防止板３２２を備える。スクリュー杭３２１及び浮沈防止板３２２は地中に埋設されているが、上記左側レール基礎３１のときと同様に、図１ではこれらを露出した状態で描いている。スクリュー杭３２１には地面に刺す先端部分から末端方向に向けて螺旋状の羽根が設けられており、これを地面に向けて回転圧入することにより左側レール基礎３２が形成される。スクリュー杭３２１の末端は地上に露出しており、右側レール２２の底面と結合されてこれを支える。
【００２５】
浮沈防止板３１２及び３２２は、それぞれスクリュー杭３１１及び３２１の途中部分（スクリューよりも末端方向のいずれか）に固定された板状物であり、これが地中に埋設されることでスクリュー杭３１１が地中から抜けたり沈降したりするのが抑制される。本実施形態では浮沈防止板３１２及び３２２として略正方形の金属板を用いているが、形状及び材質は特に限定されない。
【００２６】
ビニールハウス９の基礎９２もまた、上記左側レール基礎３１及び右側レール基礎と同様に、スクリュー杭９２１及び浮沈防止板９２２を備える。スクリュー杭９２１及び浮沈防止板９２２については、上記スクリュー杭３１１，３２１や浮沈防止板３１２，３２２と同様であるのでここでの説明を省略する。地上に露出した基礎９２の末端は、フランジを介してビニールハウス９の骨組みと結合される。
【００２７】
側脚部１１及び１２は、架台部１４の下方に位置し、これを支える役割を担う。側脚部１１及び１２は、回転可能な車輪であり、上記のようにこれが側レール２１及び２２の凹みに収容されることで、側レール２１及び２２に沿って移動することができる。この移動により架台部１４が側レール２１及び２２に沿った方向、すなわちビニールハウス９の棟方向へ前後移動する。
【００２８】
図１に示すように、左側脚部１１は、互いに離間して二個設けられる。右側脚部１２も同様に互いに離間して二個設けられる。その結果、移動架台１は、下方に存在する四個の脚部によって支えられることになり自立可能となる。既に述べたように、側脚部１１及び１２は対をなしているが、本実施形態では側脚部１１及び１２がそれぞれ二個ずつ存在するので、側脚部１１及び１２が二対となる。
【００２９】
架台部１４は、太陽電池パネル８を設置するための部分であり、公知の方法により太陽電池パネル８がこれに載置固定される。本実施形態では、架台部１４の上方（ビニールハウス９の屋根に対応する箇所）に太陽電池パネル８が設置されているが、目的に応じて、架台部１４の側方（ビニールハウス９の側面に対応する箇所）に太陽電池パネル８を設置してもよい。架台部１４は、側脚部１１及び１２を起点としてビニールハウス９の外周に沿って延びている。そして、左側脚部１１から延びた架台部１４と、右側脚部１２から延びた架台部１４とがビニールハウス９の上方で結合して一体的な架台部１４となっている。その結果、架台部１４は、ビニールハウス９の間口から見た断面を囲むように設けられることになる（図２を参照）。なお、架台部１４がビニールハウス９の外周に沿って延びるとは、外周を囲むように延びるという意味であり、必ずしも外周の形状に沿ったものでなくてもよい。
【００３０】
本実施形態の架台部１４では、ビニールハウス９の側面側となる箇所に作業者の昇降及び強度の保持のための梯子１４１が設けられる。梯子１４１は、離間して設けられた２つの左側脚部１１，１１、及び同じく離間して設けられた２つの右側脚部１２，１２の離間幅で設けられることになる。
【００３１】
ビニールハウス９の屋根にて棟方向直線状に延びた頂部である棟９１には、棟レール４が形成されている。棟レール４としては側レール２１及び２２と同様にＣ型鋼が用いられ、これは、その凹みとなる部分が上方を向いた状態で、棟９１を構成するビニールハウス９の骨組みに結合されている。その結果、棟レール４は、棟９１に沿って側レール２１及び２２と平行に設けられることになる。上方を向いた棟レール４の凹みは、後述する棟脚部１３を移動可能に収容してこれを棟方向へ案内する。
【００３２】
棟脚部１３は、架台部１４の頂部下側に設けられ、これを支える役割を担う。その結果、架台部１４は、左側脚部１１、右側脚部１２及び棟脚部１３により三点で支えられることになり安定する。棟脚部１３は、回転可能な車輪であり、上記のようにこれが棟レール４の凹みに収容されることで、棟レール４に沿って移動することができる。側脚部１１及び１２と同様に、棟脚部１３もまた互いに離間して二個設けられる
【００３３】
左側脚部１１、右側脚部１２及び棟脚部１３が同時に同じ方向へ移動することにより、架台部１４が側レール２１及び２２に沿った方向、すなわちビニールハウス９の棟方向へ前後移動する。なお、このように架台部１４を移動させるに際しては、所望する方向へ人力等で牽引すればよい。
【００３４】
本実施形態の移動架台１は、ビニールハウス９の両側面に沿って設けられ棟方向と平行に延びる一対の側レール２１及び２２に案内されて移動可能な少なくとも一対の側脚部１１及び１２と、側脚部１１及び１２からビニールハウス９の外周に沿って延び、ビニールハウス９の上方で結合することでビニールハウス９の間口から見た断面を囲むように設けられた架台部１４と、を備える。このため、移動架台１は、側レール２１及び２２に沿って、ビニールハウス９のような長尺の建造物の棟方向に容易に移動することができる。このため、例えば、野菜のように多くの日射が必要になる作物を避けつつ、キノコ類等のように日陰や半日陰を好む作物の存在する箇所に太陽電池パネルを設置することができるようになるので、作物の要求する日射の程度に応じてビニールハウス内の空間を有効活用できるとともに、太陽電池パネルによる電力を得ることができるようになる。
【００３５】
本実施形態の移動架台１は、ビニールハウス９の棟に沿ってその頂部９１に設けられた棟レール４に案内されて移動可能な棟脚部１３を備え、架台部１４の上部がこの棟脚部１３によって支えられることを特徴とする。このため、架台部１４が左側脚部１１、右側脚部１２及び棟脚部１３により三点で支えられることになり安定するので、重量のある太陽電池パネル８を載置した状態を安定して保つことができる。
【００３６】
本実施形態の移動架台１では、一対の側レール２１及び２２がビニールハウス９の両側面側に存在する地面に設けられている。そして、側レール２１及び２２は、それぞれ上側に凹みを備えたＣ型鋼である。このため、側レール２１及び２２に収容された側脚部１１及び１２がレールから逸脱することなく移動可能となる。また、側レール２１及び２２が入手しやすい工業製品であるＣ型鋼なので、材料コストも低減させることができる。
【００３７】
［太陽電池パネル用移動架台の第二実施形態］
次に、本発明の太陽電池パネル用移動架台の第二実施形態について図面を参照しながら説明する。図４は、本実施形態の太陽電池パネル用移動架台１Ａ（以下、「移動架台１Ａ」とも呼ぶ。）をビニールハウス９Ａに適用した状態を示す正面断面図である。本実施形態の移動架台１Ａは、上記第一実施形態の移動架台１が適用された両屋根形（切妻形）のビニールハウス９ではなく、正面視で右側半分が山形であり左形半分が地面に対して垂直な片屋根形のビニールハウス９Ａに適用される。なお、本実施形態の移動架台１Ａの説明では、上記第一実施形態の移動架台１の説明と重複する部分について同じ符号を付し、それについての説明を適宜省略する。
【００３８】
本実施形態の移動架台１Ａでは、一対である左側レール２１Ａ及び右側レール２２の一方である左側レール２１Ａが、ビニールハウス９Ａの側面のうち地面に対して垂直になっている左側側面に接して設けられている。したがって、左側レール２１Ａは、第一実施形態の移動架台１における左側レール２１のようにビニールハウス９Ａの側面側に存在する地面に設けられるのではなく、地面から離れた空中に設けられることになる。一方で、本実施形態の移動架台１Ａでは、右側レール２２がビニールハウス９Ａの右側面側に存在する地面に設けられる。したがって、右側レール２２は、第一実施形態の移動架台１と同様に、地面に設置された右側レール基礎３２に結合される。
【００３９】
上記のように、左側レール２１Ａは、ビニールハウス９Ａの左側側面に接して設けられる。このように左側レール２１Ａを設ける方法としては、左側側面に存在する支柱の適切な高さにて、支柱と垂直に交わるように左側レール２１Ａを固定する方法が挙げられる。左側レール２１Ａを固定する高さとしては、右側側面の肩部の高さ程度を挙げることができるが、特に限定されない。
【００４０】
左側レール２１Ａは、断面がコの字の形状をしたＣ型鋼が用いられ、その凹みとなる部分が下方を向いている。つまり、左側レール２１Ａとして用いられるＣ型鋼は、下方に向けて開口するように設置される。この凹みは、後述する左側脚部１１Ａを移動可能に収容してこれを棟方向へ案内する。移動架台１Ａでは、太陽電池パネル８が架台部１４Ａの上部に設けられるが、左側脚部１１Ａがこのように収容されることにより、太陽電池パネル８の重量による右方向への移動架台１Ａの転倒が抑制されて安定する。
【００４１】
左側脚部１１Ａは、架台部１４Ａの左側下方に位置し、下向きに開口した左側レール２１Ａに移動可能に収容されることで、上記のように移動架台１Ａの転倒を抑制する。左側脚部１１Ａは、回転可能な車輪であり、左側レール２１Ａに収容されることで、左側レール２１Ａに沿って移動することができる。そして、これが右側脚部１２とともにビニールハウス９Ａの棟方向へ移動することで、移動架台１Ａはビニールハウス９Ａの棟方向へ前後移動する。左側脚部１１Ａと右側脚部１２とは少なくとも一対として設けられる。以下、これらをまとめて側脚部１１Ａ及び１２とも呼ぶ。「少なくとも一対の側脚部１１Ａ及び１２」とは、図４を参照すれば理解できるように、ビニールハウス９Ａの間口から見た際に、左側脚部１１Ａと右側脚部１２とが左右に対をなしているということを表すものである。この対は、一対でもよいし、二以上の対であってもよい。
【００４２】
左側脚部１１Ａは、第一実施形態の移動架台１と同様に、互いに離間して二個設けられる。右側脚部１２も同様に互いに離間して二個設けられる。その結果、移動架台１Ａは、左側に存在する二個の左側脚部１１Ａ，１１Ａと、右側下方に存在する二個の右側脚部１２，１２によって支えられることになる。第一実施形態の移動架台１と同様に移動架台１Ａも側脚部１１Ａ及び１２が対をなしているが、本実施形態では左側脚部１１Ａ及び右側脚部１２がそれぞれ二個ずつ存在するので、側脚部１１Ａ及び１２が二対となる。
【００４３】
架台部１４Ａは、太陽電池パネル８を設置するための部分であり、公知の方法により太陽電池パネル８がこれに載置固定される。本実施形態では、架台部１４Ａの上方（ビニールハウス９Ａの屋根に対応する箇所）に太陽電池パネル８が設置されているが、目的に応じて、架台部１４Ａの側方（ビニールハウス９Ａの側面に対応する箇所）に太陽電池パネル８を設置してもよい。架台部１４Ａは、側脚部１１Ａ及び１２を起点としてビニールハウス９Ａの外周に沿って延びている。そして、左側脚部１１Ａから延びた架台部１４Ａと、右側脚部１２から延びた架台部１４Ａとがビニールハウス９Ａの上方で結合して一体的な架台部１４Ａとなっている。その結果、架台部１４Ａは、ビニールハウス９Ａの間口から見た断面を囲むように設けられることになる。なお、上記のように、左側脚部１１Ａはビニールハウス９Ａの左側側面の上部に設けられているので、架台部１４Ａはビニールハウス９Ａの間口から見た断面を完全に囲むわけではないが、このような場合であっても、本発明ではビニールハウス９Ａの間口から見た断面を囲むものとして扱う。また、架台部１４Ａがビニールハウス９Ａの外周に沿って延びるとは、外周を囲むように延びるという意味であり、必ずしも外周の形状に沿ったものでなくてもよい。
【００４４】
ビニールハウス９Ａの屋根にて棟方向直線状に延びた頂部である棟９１Ａには、棟レール４が形成される。棟レール４には側レール２１Ａ及び２２と同様にＣ型鋼が用いられ、これは、その凹みとなる部分が上方を向いた状態で、棟９１Ａを構成するビニールハウス９Ａの骨組みに結合されている。その結果、棟レール４は、棟９１Ａに沿って、側レール２１Ａ及び２２と平行に設けられることになる。上方を向いた棟レール４の凹みは、後述する棟脚部１３を移動可能に収容してこれを棟方向へ案内する。
【００４５】
上記第一実施形態の移動架台１と同様に、移動架台１Ａにも棟脚部１３が設けられる。棟脚部１３は、架台部１４Ａの頂部下側に設けられ、これを支える役割を担う。その結果、架台部１４Ａは、左側脚部１１Ａ、右側脚部１２及び棟脚部１３により三点で支えられることになり安定する。棟脚部１３は、回転可能な車輪であり、上記のようにこれが棟レール４の凹みに収容されることで、棟レール４に沿って移動することができる。側脚部１１Ａ及び１２と同様に、棟脚部１３もまた互いに離間して２個設けられる。
【００４６】
本実施形態の移動架台１Ａは、一対の側レール２１Ａ及び２２の一方である左側レール２１Ａがビニールハウス９Ａの左側側面に接して設けられ、残りの右側レール２２がビニールハウス９Ａの側面側に存在する地面に設けられ、ビニールハウス９Ａの側面に設けられた左側レール２１Ａが下側に凹みを備えたＣ型鋼であり、少なくとも一対の側脚部２１Ａ及び２２のうちこの左側レール２１Ａに案内される左側脚部２１Ａがこの左側レール２１Ａの下側に沿って案内される。これにより、移動架台１Ａでは、太陽電池パネル８が架台部１４Ａの上部に設けられたときに、太陽電池パネル８の重量による右方向への移動架台１Ａの転倒が抑制されて安定する。
【００４７】
以上、本発明の移動架台について実施形態を示して説明したが、本発明は上記の実施形態に何ら限定されるものではなく、本発明の範囲において適宜変更を加えて実施をすることができる。
【００４８】
例えば、上記実施形態では、設置対象である建造物がビニールハウスだったが、これに限定されず、他の建造物であってもよい。
【００４９】
また、上記実施形態では側脚部を案内するレールがＣ型鋼だったが、これに限定されず、鉄道のレールのような他のレールを用いてもよい。この場合、側脚部の形状も用いるレールの形状に合わせたものを採用すればよい。
【００５０】
［太陽光発電システム］
上記の太陽電池パネル用移動架台の架台部に存在する太陽電池パネルを発電ユニットとして含むことを特徴とした太陽光発電システムもまた本発明の一つである。このような太陽光発電システムは、上記の発電ユニットに加えてパワーコンディショナ等といった制御装置や電力モニタ等の各種ユニットを含むものであるが、これらの各種ユニットは様々なものが知られており、本発明においてもそうしたユニットを適宜組み合わせて用いることができるのでここでの説明を省略する。
【００５１】
［太陽電池パネルの設置方法］
上記の太陽電池パネル用移動架台の架台部に太陽電池パネルを載置固定する工程を備えることを特徴とする太陽電池パネルの設置方法もまた本発明の一つである。この設置方法では、まず、設置対象となる建造物（上記の実施形態ではビニールハウス９）に対して、既に説明した左側レール２１及び右側レール２２を設けてからそれらのレール上に移動架台１を組み上げ、その後、移動架台１の架台部１４に太陽電池パネル８の載置固定を行う。架台部１４に太陽電池パネル８を載置固定する方法としては公知のものを用いればよいのでここでの説明を省略する。
【００５２】
本発明の太陽電池パネルの設置方法によれば、ビニールハウス等の長尺な建造物の長手方向（棟方向）へ移動することが可能なように太陽電池パネルを設置することができるので、例えばこれをビニールハウスに適用すれば、野菜のように多くの日射が必要になる作物を避けつつ、キノコ類等のように日陰や半日陰を好む作物の存在する箇所に太陽電池パネルを設置することができるようになる。
【符号の説明】
【００５３】
１，１Ａ      太陽電池パネル用移動架台
１１，１１Ａ  左側脚部
１２，１２Ａ  右側脚部
１３          棟脚部
１４，１４Ａ  架台部
２１，２１Ａ  左側レール
２２          右側レール
３１          左側レール基礎
３２          右側レール基礎
４            棟レール
８            太陽電池パネル
９，９Ａ      ビニールハウス
【図１】
0006275169.tif 000002
【図２】
0006275169.tif 000003
【図３】
0006275169.tif 000004
【図４】
0006275169.tif 000005